(57)【要約】【課題】開閉パネルを閉じた状態で取り外せないようにする。【解決手段】開閉パネル３を前面枠に取り付ける蝶番機構を、開閉パネルと共回りする可動軸部材４０と、可動軸部材４０を支持する軸支持部材３０と、前面枠側に設けられた可動軸部材の先端が挿入される可動側軸受孔と、可動軸部材の付勢部材とから構成し、開閉パネルが閉じた状態では、可動軸部材が抜ける方向に移動した際に可動軸部材の操作部５５に当接して抜けを阻止する可動軸部材用可動範囲規制部材６１を前面枠に設け、軸支持部材３０には、クランク形状に屈曲した屈曲部を有し、前面枠には、開閉パネル３が閉じた状態で当該前面枠と開閉パネル３との重合部分への異物の進入を防止する異物進入防止部材を突出し、該異物進入防止部材を屈曲部と隣り合うように設けた。【選択図】図５
2006326342.tif 000002
【特許請求の範囲】
【請求項１】
開口部を開設した前面枠と、該前面枠の開口部を前面から塞ぐようにして前面枠に取り付けられた前面開閉部材と、前面開閉部材の一側上下を前面枠に対して開閉可能に取り付ける第１蝶番機構及び第２蝶番機構とを備えた遊技機において、
上記第１蝶番機構は、前面開閉部材の一側上下の一方に設けた固定軸受孔と、前面枠側に設けられて上記固定軸受孔に挿入する固定軸部材と、から構成され、
上記第２蝶番機構は、前面開閉部材の一側上下の他方に上下動可能に設けられて前面開閉部材と共回りする可動軸部材と、前面開閉部材の裏側に取り付けられ、上記可動軸部材を支持する軸支持部材と、前面枠側に設けられて上記可動軸部材の先端が挿入される可動側軸受孔と、可動軸部材の先端が可動側軸受孔に挿入する方向に付勢する付勢部材とから構成され、可動軸部材の一部を横方向へ突出して横突出部とし、
上記軸支持部材には、クランク形状に屈曲した屈曲部を有し、該屈曲部の段差を横突出部を収容し得る寸法に設定し、
上記前面開閉部材の背面と軸支持部材との間に空部を形成し、該空部内に横突出部を収容し、前面開閉部材の開閉動作により可動軸部材を前面開閉部材と共回りさせるように構成し、
前面開閉部材が閉じた状態では、可動軸部材が可動側軸受孔から抜ける方向に移動する際に可動軸部材の横突出部に当接して可動軸部材の抜けを阻止し、前面開閉部材が開いた状態では、上記横突出部が前面開閉部材と共回りして可動軸部材の抜け方向への移動を許容する可動軸部材用可動範囲規制部材を前面枠に設け、
上記前面枠には、前面開閉部材が閉じた状態で当該前面枠と前面開閉部材との重合部分への異物の進入を防止する異物進入防止部材を突出し、
該異物進入防止部材を屈曲部と隣り合うように設けたことを特徴とする遊技機。
【発明の詳細な説明】
【技術分野】
【０００１】
本発明は、パチンコ遊技機やパチスロ遊技機などの遊技機に関し、特に前面枠の開口部を前面から塞ぐガラス枠等の前面開閉部材を開閉可能に設けた遊技機に関する。
【背景技術】
【０００２】
従来の代表的な遊技機であるパチンコ遊技機を例に挙げて説明すると、大きな開口部を開設した前面枠に、表面に遊技部を形成した遊技盤を配置し、前面枠の開口部を、ガラス枠や開閉パネルを開閉可能に取り付けて前面から覆って塞ぎ、ガラス枠のガラスを通して遊技盤の遊技部が見えるように構成されている（例えば、特許文献１参照）。
そして、ガラス枠や開閉パネルは、その一側に設けた蝶番機構により前面枠に対して開閉可能に、且つ着脱可能に取り付けられており、他側に設けた施錠機構により閉状態で施錠される。着脱可能な蝶番機構は、前面枠側に軸受孔を設け、この軸受孔に挿入する軸を例えば開閉パネル側に設け、軸を上下動させることにより軸受孔から抜いて開閉パネルが前面枠から取り外せるように構成されている。
【特許文献１】特開２０００−１５７６９９号公報
【発明の開示】
【発明が解決しようとする課題】
【０００３】
ところで、前記した蝶番機構は、開閉パネルやガラス枠を閉じた状態では外部から軸に手が届かないので、取り外し操作を行うことができないはずである。
しかしながら、巧妙な不正行為者が開閉パネルやガラス枠と前面枠との僅かな隙間などから細長いプラスチック板を挿入して軸を上下動させてガラス枠等を外してしまい、遊技部内の入賞口に直接球を入れる不正行為が行われることも考えられる。
【０００４】
本発明は上記した事情に鑑み提案されたもので、その目的は、本来的に取り外し操作を行う必要がない閉状態においては取り外し操作が不能であって、開いた状態でのみ取り外し操作を行うことができる蝶番機構を備え、不正行為を有効に防止できる遊技機を提供しようとするものである。
【課題を解決するための手段】
【０００５】
本発明は上記目的を達成するために提案されたもので、請求項１に記載のものは、開口部を開設した前面枠と、該前面枠の開口部を前面から塞ぐようにして前面枠に取り付けられた前面開閉部材と、前面開閉部材の一側上下を前面枠に対して開閉可能に取り付ける第１蝶番機構及び第２蝶番機構とを備えた遊技機において、
上記第１蝶番機構は、前面開閉部材の一側上下の一方に設けた固定軸受孔と、前面枠側に設けられて上記固定軸受孔に挿入する固定軸部材と、から構成され、
上記第２蝶番機構は、前面開閉部材の一側上下の他方に上下動可能に設けられて前面開閉部材と共回りする可動軸部材と、前面開閉部材の裏側に取り付けられ、上記可動軸部材を支持する軸支持部材と、前面枠側に設けられて上記可動軸部材の先端が挿入される可動側軸受孔と、可動軸部材の先端が可動側軸受孔に挿入する方向に付勢する付勢部材とから構成され、可動軸部材の一部を横方向へ突出して横突出部とし、
上記軸支持部材には、クランク形状に屈曲した屈曲部を有し、該屈曲部の段差を横突出部を収容し得る寸法に設定し、
上記前面開閉部材の背面と軸支持部材との間に空部を形成し、該空部内に横突出部を収容し、前面開閉部材の開閉動作により可動軸部材を前面開閉部材と共回りさせるように構成し、
前面開閉部材が閉じた状態では、可動軸部材が可動側軸受孔から抜ける方向に移動する際に可動軸部材の横突出部に当接して可動軸部材の抜けを阻止し、前面開閉部材が開いた状態では、上記横突出部が前面開閉部材と共回りして可動軸部材の抜け方向への移動を許容する可動軸部材用可動範囲規制部材を前面枠に設け、
上記前面枠には、前面開閉部材が閉じた状態で当該前面枠と前面開閉部材との重合部分への異物の進入を防止する異物進入防止部材を突出し、
該異物進入防止部材を屈曲部と隣り合うように設けたことを特徴とする遊技機である。
【発明の効果】
【０００６】
本発明によれば、以下のような優れた効果を奏する。
請求項１の発明によれば、前面開閉部材が閉じた状態では、可動軸部材が可動側軸受孔から抜ける方向に移動する際に、前面枠に設けた可動軸部材用可動範囲規制部材が可動軸部材の横突出部に当接し、これにより可動軸部材の抜けを阻止することができる。したがって、前面枠の開口部と前面開閉部材との隙間から異物を挿入して可動軸部材を操作して不正に前面開閉部材を前面枠から外す不正行為を有効に防止することができる。
そして、前面開閉部材が開いた状態では、上記横突出部が前面開閉部材と共回りして可動軸部材の抜け方向の移動を許容するので、店員等が必要に応じて前面開閉部材を取り外すことができ、メンテナンスや修理などの作業性を損なうことがない。
【０００７】
また、可動軸部材を支持する軸支持部材を前面開閉部材の裏側に取り付け、該前面開閉部材の背面と軸支持部材との間に空部を形成し、該空部内に横突出部を収容し、前面開閉部材の開閉動作により可動軸部材を前面開閉部材と共回りさせるようにしたので、可動軸部材を前面開閉部材と共回りさせるために別部材を新たに追加することなく構成することができ、製造が容易である。
【０００８】
さらに、クランク形状に屈曲した軸支持部材の屈曲部と隣り合うように異物進入防止部材を突設するので、この異物進入防止部材は、屈曲部を利用して一段深い位置まで突設することができる。したがって、可動軸部材の横突出部を回避して異物進入防止部材を大きく形成することができ、これにより前面開閉部材全体を異物進入防止部材で防御することができ、不正行為を一層確実に防止できる。
【発明を実施するための最良の形態】
【０００９】
以下、本発明の実施の最良の形態を図面に基づいて説明する。
図１は代表的な遊技機であるパチンコ遊技機１の斜視図、図２はガラス枠２を開いた状態におけるパチンコ遊技機１の右側面図、図３は遊技盤とガラス枠２と開閉パネル３とを取り外した状態におけるパチンコ遊技機１の正面図である。
【００１０】
パチンコ遊技機１は、図１から図３に示すように、機枠４の前面に、開口部５を有する額縁状の前面枠６をヒンジ７により開閉可能に取り付け、前面枠６の裏面に遊技盤収納枠８を固定し、該遊技盤収納枠８の下部に、発射レール９を前面に備えたフレームボード１０を設け、表面に遊技部を形成した遊技盤（図示せず）をフレームボード１０上に載置した状態で遊技盤収納枠８内に着脱可能に取り付けて遊技部を上記開口部５に臨ませ、前面枠６には、前面から開口部５を覆って塞ぐガラス枠２と開閉パネル３を開閉可能に取り付け、開閉パネル３の前面には上皿１１を設け、前面枠６の下部前面に下皿１２と発射操作ハンドル１３と灰皿１４とを並べて設けてある。そして、本実施形態では、ガラス枠２と開閉パネル３を前面枠６に取り付けるためのベースとして、前面枠６の開口部５の左開口縁に沿って、金属板製の縦長な取付ベース１５をねじで固定し、右開口縁に沿って、金属板製の縦長な施錠ベース１６をねじで固定し、この施錠ベース１６にガラス枠用施錠機構と開閉パネル用施錠機構を設け、両施錠機構をシリンダ錠１７と連携してある。
なお、ガラス枠２及び開閉パネル３は、本発明における前面開閉部材として機能するものである。
【００１１】
ガラス枠２は、図２に示すように、開口部を開設したプラスチック製の枠本体２０の裏面に金属製のガラス保持枠２１を設け、該ガラス保持枠２１の断面略Ｗ字状の溝内に縁部を嵌合した状態で透明な板ガラス２２を前後２枚設け、一側下部に設けた第１蝶番機構２３Ａと一側上部に設けた第２蝶番機構２４Ａにより前面枠６に対して開閉可能に取り付けられ、閉状態ではガラス枠用施錠機構のフック（図示せず）が自由端側裏面の施錠受部２５に係合して施錠される。
【００１２】
開閉パネル３は、プラスチック製の横長なベース２６の前面に上皿１１を取り付けるとともに上皿１１以外の前面をプラスチック製のカバー部材２７を被覆して装飾性を高めたパネルであり、一側上部に設けた第１蝶番機構２３Ｂと一側下部に設けた第２蝶番機構２４Ｂにより前面枠６に対して開閉可能に取り付けられ、閉状態では開閉パネル用施錠機構のフックが自由端側裏面の施錠受部２８に係合して施錠される。
【００１３】
次に、蝶番機構について説明する。
先ず、開閉パネル３の一側上部を前面枠６側に取り付ける第１蝶番機構２３Ｂについて説明する。
第１蝶番機構２３は軸が固定されたタイプの蝶番機構であり、図５に示すように、開閉パネル３の一側に金属板製の軸支持部材３０をねじで固定した状態で設け、この軸支持部材３０の上部に形成された固定軸受孔３１と、前面枠６側に設けた前記取付ベース１５の起立片３２に上下方向に向けて固定された固定軸部材３３とからなり、固定軸部材３３が固定軸受孔３１内に挿入されると、固定軸受孔３１側、すなわち軸支持部材３０側を固定軸部材３３側、すなわち前面枠６側に対して回動可能に軸着することができる。
【００１４】
本実施形態では、図４に示すように、取付ベース１５から前方に突出した起立片を上下に貫通した状態で１本の軸材を設け、起立片３２から上方に突出した部分を、ガラス枠２の一側下部を軸着するための第１蝶番機構２３Ａの固定軸部材３３として機能させ、起立片３２から下方に突出した部分を、開閉パネル３の一側上部を軸着するための第１蝶番機構２３Ｂの固定軸部材３３として機能させている。しかし、固定軸部材３３は、ガラス枠２用と開閉パネル３用とを別個にしたり、或いは、固定軸部材のそれぞれの位置を異ならせるようにしてもよい。
なお、図４中に符号３４で示す部分は、取付ベース１５の内側の縁から起立した異物挿入防止用の壁部であり、本願発明の異物進入防止部材として機能するものである。
【００１５】
開閉パネル３の一側下部を前面枠６に対して開閉可能に軸着する第２蝶番機構２４Ｂは、軸が可動の蝶番機構であり、前記軸支持部材３０の下部に上下動可能に設けられて開閉パネル３と共回りする可動軸部材４０と、前面枠６側に設けられて上記可動軸部材４０の先端が挿入される可動側軸受孔４１と、可動軸部材４０の先端を可動側軸受孔４１内に挿入する下方向に付勢する付勢部材としてのコイルスプリング４２などから構成されている。
【００１６】
具体的には、図４に示すように、前面枠６の開口部５の一側最下部に位置している前記取付ベース１５の下端に起立片４３を前方に立設し、この起立片４３に可動側軸受孔４１を開設してある。
【００１７】
軸支持部材３０は、図５から図８に示すように、金属板を断面クランク形に屈曲して下段面３０ａと接続面３０ｂと上段面３０ｃとを形成し、下段面３０ａから突出した耳片４３に固定用の孔４４を開設し、上段面３０ｃの軸着側から下段面側の途中まで切り欠いて操作開口部４５を開設し、上段面３０ａの上端部分を前方に屈曲した屈曲片４６に前記固定軸受孔３１を開設し、上段面３０ａの軸着側下端部分を前方に屈曲した屈曲片４７と上記操作開口部４５の軸着側下端開口縁部を前方に屈曲した屈曲片４８とに可動軸用支持孔５０を直線上に開設し、操作開口部４５の上方及び下方に固定用の孔５１を複数箇所開設してある。なお、前記下段面３０ａと上段面３０ｃとの段差は、後述する可動軸部材４０の操作部を収納（収容）し得る寸法としてある。また、両屈曲片４７，４８の間であって可動軸部材４０の先端側に位置する軸支持部材３０の一部を前方に膨出して、後述する可動軸部材４０のばね受部が支障なく上下動可能に収まるように膨出部５２を形成してある。
【００１８】
可動軸部材４０は、図面の実施形態では軸材の一部、詳しくは上半部分（後端部分）を横方向に屈曲して該屈曲部分を操作部５５を兼ねた横突出部としたＬ字状の軸であり、先端から少し上方に後退した位置にフランジ状のばね受部５６を設けてある。なお、操作部５５の長さは、可動軸用支持孔５０から操作開口部４５の下段面３０ａ側の縁までの寸法よりも少し長く設定してある。
【００１９】
この可動軸部材４０を軸支持部材３０に装着すると、すなわち図７に示すように、軸部にコイルスプリング４２を巻装した状態で先端部分を下の可動軸用支持孔５０内に、軸部の上端部分を上の可動軸用支持孔５０内に挿入すると、コイルスプリング４２の付勢力により可動軸部材４０が下方に押し下げられて操作部５５が上の可動軸用支持孔５０の屈曲片４８に当接して停止し、先端が下の可動軸用支持孔５０から突出する。また、操作部５５は、前記した長さに設定してあるので、その先端が操作開口部４５の縁に係合（当接）可能となる。
【００２０】
そして、可動軸部材４０を装着した軸支持部材３０を開閉パネル３の裏側にねじ５７で固定すると、図８に示すように、開閉パネル３の背面と軸支持部材３０との間に操作部収容用の空部５８が形成され、該空部５８内に収容された操作部５５は上下動可能であるが、軸支持部材３０の背面と開閉パネル３のベース２６とに挟まれることによって、開閉パネル３に対して自由回動不能となる。したがって、軸支持部材３０と開閉パネル３の背面が係合部として機能し、開閉パネル３の開閉操作を行うと、軸支持部材３０と開閉パネル３の背面のいずれか一方が係合部として操作部５５に当接し、これにより可動軸部材４０と開閉パネル３と共回りさせることができる。
【００２１】
なお、開閉パネル３の背面には、図５に示すように、ストッパー６０を操作部５５の上方に突設してあるので、可動軸部材４０を上昇させて先端が可動軸用支持孔５０の近くまで後退しても操作部５５が上記ストッパー６０に当接して上昇範囲が規制され、この規制により可動軸部材４０の先端が可動軸用支持孔５０から外れることはない。すなわち、本実施形態ではストッパー６０が本発明のストッパー部材として機能して、開閉パネル３が開いた状態ではストッパー６０が可動軸部材４０の可動範囲（ストローク）を規制し、これにより外れることを防止している。
【００２２】
このような第１，第２蝶番機構２３Ｂ，２４Ｂを備えた開閉パネル３を前面枠６に取り付けるには、開閉パネル３を少し傾けた状態で、先ず、第１蝶番機構２３Ｂの固定軸受孔３１内に前面枠６側の固定軸部材３３を挿入し、第２蝶番機構２４Ｂの操作部５５を指で上昇させて可動軸部材４０の先端を後退させた状態で当該先端を前面枠６側の可動側軸受孔４１上に位置合わせして、この状態で可動軸部材４０を下降して先端を可動側軸受孔４１内に挿入する。
【００２３】
このようにして開閉パネル３を前面枠６に取り付けると、第１蝶番機構２３Ｂの固定軸部材３３及び第２蝶番機構２４Ｂの可動軸部材４０を中心にして開閉パネル３が回動自在となる。そして、開閉パネル３の自由端側を前面側に押圧すると、施錠機構のフックが施錠受部２８に係合して閉状態で施錠される。
【００２４】
本発明では、開閉パネル３などの前面開閉部材が閉じた状態では、可動軸部材４０が可動側軸受孔４１から抜ける方向に移動する際に可動軸部材４０の横突出部に当接する位置に突設されて可動軸部材４０の抜けを阻止し、前面開閉部材が開いた状態では、上記横突出部が前面開閉部材と共回りして可動軸部材４０の抜け方向の移動を許容する可動軸部材用可動範囲規制部材６１を設けてある。
【００２５】
本実施形態では、図４及び図５に示すように、取付ベース１５の下部の一部を切り起こすことにより、下降状態（挿入状態）で停止している可動軸部材４０の操作部５５の少し上方（可動軸部材４０の先端が可動側軸受孔４１から抜けるためのストロークよりも短い長さの範囲）に可動軸部材用可動範囲規制部材６１を突設してある。
【００２６】
したがって、開閉パネル３を閉じると、前記可動軸部材用可動範囲規制部材６１が操作部５５の上に位置して、可動軸部材４０の上昇を強制的に阻止している。このため、前面枠６の開口部５と開閉パネル３との間の隙間からプラスチック板等の異物を差し込んで可動軸部材４０を上昇させて可動軸側軸受孔４１から抜こうとしても、可動軸部材４０が可動軸部材用可動範囲規制部材６１によって上昇が阻止され、開閉パネル３の軸着側が取り外される不正行為を確実に防止できる。
【００２７】
そして、球供給装置や球発射装置のメンテナンス等で開閉パネル３を取り外す必要があるときには、先ず、ガラス枠２を開放した後に開閉パネル３の施錠を解錠し、開閉パネル３を大きく開いて開状態とする。開閉パネル３を開状態にすると、可動軸部材４０が開閉パネル３と共回りして操作部５５が可動軸部材用可動範囲規制部材６１の規制から外れて移動が許容される。すなわち自由に上下動可能となるので、従来通り、作業者が指で操作部５５を持ち上げて可動軸部材４０の先端を可動側軸受孔４１から引き抜いて外すことができる。可動軸部材４０が可動側軸受孔４１から外れたならば、開閉パネル３の下部を手前に引きながら下降することにより、前面枠６側の固定軸部材３３から軸支持部材３０の固定軸受孔３１を外すことができ、これにより開閉パネル３を前面枠６から取り外すことができる。
【００２８】
また、異物進入防止部材として前面枠６側から突出した状態で設けた異物挿入防止用壁部３４が前記可動軸部材用可動範囲規制部材６１よりも内側（中央側）、換言すると前面枠６の開口部５側に設けられているので、開閉パネル３が閉じた状態で、前面枠６と開閉パネル３との重合部分に万一異物が挿入された場合に、不正行為を未然に防止できる。すなわち、可動軸部材４０は、不正行為者により不正に操作されてしまいかねない位置に配設されているが、可動軸部材用可動範囲規制部材６１の存在により可動軸部材４０が動作しないので、万一、異物が挿入されたとしても開閉パネル３が取り外されてしまうことを防止でき、また、異物進入防止用壁部３４が突出しているので、この異物進入防止用壁部３４により、それよりも内側へは不正行為者による不正行為を防止できる。したがって、前面枠６と開閉パネル３との重合部分への異物の進入による不正行為を確実に防止できる。
【００２９】
さらに、異物挿入防止用壁部３４は、軸支持部材３０のクランク形状に屈曲した部分と隣り合うように突設されているので、可動軸部材４０の操作部５５を回避して大きく形成することができる。したがって、開閉パネル３の縦方向全体を挿入防止用壁部３４で防御することができる。
【００３０】
なお、異物挿入防止用壁部３４は、例えば可動軸部材４０の外側に設けることも考えられるが、開閉パネル３の外側に接近した状態で設けると開閉パネル３を開く際に開閉パネル３の側部と異物挿入防止用壁部３４とが干渉してしまい、開動作に支障を生じ、また、開動作できるように少し離して異物挿入防止用壁部３４を設けると、開閉パネル３の側部との間に隙間ができてしまい、異物挿入による不正行為防止という機能が満たされなくなってしまう。また、可動軸部材４０に近い内側に異物挿入防止用壁部３４を設けることも考えられるが、軸支持部材３０の面が存在し、異物挿入防止用壁部３４の突出長さがその面までに制限されてしまうので、異物進入防止の機能はある程度満たすが不完全である。この様な理由により、本実施形態においては前記したように、異物挿入防止用壁部３４は、クランク形状となっている軸支持部材３０の屈曲部に隣り合うように突設してある。
【００３１】
次に、ガラス枠２の一側下部を前面枠６側に取り付ける第１蝶番機構２３Ａについて説明すると、この第１蝶番機構２３Ａは、図２に示すように、ガラス枠２の枠本体２０の裏面一側下部に軸支持部材３０´をねじで固定し、この軸支持部材３０´の下部に固定軸受孔３１´を形成し、前面枠６側に設けた前記固定軸部材３３が上記固定軸受孔３１´内に嵌合するように構成されている。
【００３２】
また、ガラス枠２の一側上部を前面枠６側に取り付ける第２蝶番機構２４Ａは、可動軸部材の上下の向きが逆になるだけであって、基本的な構成は開閉パネル３の第２蝶番機構２４Ｂと同様である。すなわち、図２、及び図１０に示すように、枠本体２０の裏側に軸支持部材を３５をねじで固定し、この軸支持部材３５に可動軸部材４０ａを、先端を上に向けて操作部５５ａを下にして上下動可能な状態で設け、軸支持部材３５と枠本体２０との間に操作部５５ａを、上下動可能だが操作部５５ａが軸支持部材３０ａまたは枠本体２０に当接してガラス枠２と共回りする状態で収容し、この可動軸部材４０ａの下方に、枠本体２０から突設したストッパー６０ａを突設してある。そして、ガラス枠２を閉じた状態で、操作部５５ａのすぐ下に位置するように、可動軸部材用可動範囲規制部材６１ａを前面枠６側に設ける。この可動軸部材用可動範囲規制部材６１ａは、開閉パネル３用の第２蝶番機構２４Ｂの場合と同様に、取付ベース１５の一部を切り起こして成形する。なお、軸支持部材３５のガラス保持枠２１側には、図１０に示すように、配線６３の引っ掛かりを防止する壁部６４を立設してある。
【００３３】
したがって、ガラス枠２は、第１，第２蝶番機構２３Ａ，２４Ａの固定軸部材３３及び可動軸部材４０ａを中心にして開閉動作を行うことができる。そして、自由端側を前面枠６に押圧すると、ガラス枠用施錠機構のフックがガラス枠２の裏面に設けてある施錠受部２５に係合して施錠することができる。この閉状態においては、可動軸部材用可動範囲規制部材６１ａが可動軸部材４０ａの下降を阻止しているので、前面枠６の開口部５とガラス枠２との間の隙間から細長いプラスチック板等の異物を挿入して可動軸部材４０ａを下降しようとしても下降させることができない。したがって、この部分からの不正行為を有効に防止できる。なお、ガラス枠２を開いた状態においては、可動軸部材４０ａの操作部５５ａが可動軸部材用可動範囲規制部材６１ａの規制範囲から外れて移動を許容するので、作業者が操作部５５ａを操作して可動軸部材４０ａを下降して先端を可動側軸受孔４１ａから引き抜くことができる。したがって、作業者は必要に応じてガラス枠２を取り外すことができる。
【００３４】
ところで、今回開示した実施の形態はすべての点で例示であって制限的なものではないと考えるべきである。本発明の範囲は、前記した説明ではなくて特許請求の範囲によって示され、特許請求の範囲と均等の意味および範囲内でのすべての変更が含まれることが意図される。
【００３５】
例えば、本発明の前面開閉部材は、ガラス枠２と開閉パネル３に限定されるものではなく、前面枠６の開口部５を前面から塞ぐようにして前面枠６に開閉可能に取り付けられる部材であればよい。具体的には、本実施形態のガラス枠と開閉パネルとを一体化した前面開閉パネルでもよい。
【００３６】
また、可動軸部材４０に設ける横突出部は、前記操作部５５に限定されるものではなく、可動軸部材４０の軸方向から横方向に突出して可動軸部材用可動範囲規制部材６１に当接するものであればよい。例えば、可動軸部材４０の途中に横方向に突出する突起により構成してもよい。
【００３７】
さらにまた、可動軸部材４０を前面開閉部材と共回りさせる構成は、横突出部を前面開閉部材の背面と軸支持部材３０との間に形成した空間に収容する構成に限らず、共回りさせることができる構成であればどのような構成でもよい。例えば、可動軸部材４０を支持する軸孔の断面を多角形とし、これに貫通する可動軸部材４０の断面も多角形としてもよいし、前面開閉部材に、可動軸部材４０の横突出部に係合して共回りさせる係合部を形成してもよい。
【００３８】
また、本発明は、パチンコ遊技機１に限らず、前面枠６の開口部５に前面開閉部材を備えた遊技機であればどのような遊技機でもよく、例えばスロット遊技機、雀球式遊技機などでもよい。
【図面の簡単な説明】
【００３９】
【図１】パチンコ遊技機の斜視図である。
【図２】ガラス枠と開閉パネルを開いた状態におけるパチンコ遊技機の右側面図である。
【図３】遊技盤とガラス枠と開閉パネルを外した状態におけるパチンコ遊技機の正面図である。
【図４】取付ベースの下部の正面図である。
【図５】開閉パネルの第１蝶番機構及び第２蝶番機構の要部の正面図である。
【図６】軸支持部材と可動軸部材の分解した状態の正面図である。
【図７】（ａ）は可動軸部材を装着した状態における軸支持部材の斜視図、（ｂ）は可動軸部材を外した状態の斜視図である。
【図８】開閉パネルの第２蝶番機構の部分で切断した断面図である。
【図９】開閉パネルが前面枠に対して閉じた状態における開閉パネルの第２蝶番機構の部分で切断した断面図である。
【図１０】ガラス枠の第２蝶番機構の正面図である。
【符号の説明】
【００４０】
１  パチンコ遊技機
２  ガラス枠
３  開閉パネル
４  機枠
５  前面枠の開口部
６  前面枠
７  ヒンジ
８  遊技盤収納枠
９  発射レール
１０  フレームボード
１１  上皿
１２  下皿
１３  発射操作ハンドル
１４  灰皿
１５  取付ベース
１６  施錠ベース
２０  ガラス枠の枠本体
２１  ガラス保持枠
２２  板ガラス
２３  第１蝶番機構
２４  第２蝶番機構
２５  施錠受部
２６  ベース
２７  カバー部材
２８  施錠受部
３０  軸支持部材
３１  固定軸受孔
３２  起立片
３３  固定軸部材
３４  異物挿入防止用壁部
４０  可動軸部材
４１  可動側軸受孔
４２  コイルスプリング
４３  耳片
４４  孔
４５  操作開口部
４６，４７，４８  屈曲片
５０  可動軸用支持孔
５１  固定用の孔
５２  膨出部
５５  操作部
５６  ばね受部
５７  ねじ
５８  操作部収容用の空部
６０  ストッパー
６１  可動軸部材用可動範囲規制部材
６３  配線
６４  壁部
【図１】
2006326342.tif 000003
【図２】
2006326342.tif 000004
【図３】
2006326342.tif 000005
【図４】
2006326342.tif 000006
【図５】
2006326342.tif 000007
【図６】
2006326342.tif 000008
【図７】
2006326342.tif 000009
【図８】
2006326342.tif 000010
【図９】
2006326342.tif 000011
【図１０】
2006326342.tif 000012